【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
デジタル放送番組を視聴可能なデジタル放送用受信装置であって、
前記デジタル放送番組の印刷情報を用いて印刷装置に印刷を実行させる印刷制御手段と、  
前記印刷情報が、提供元へダウンロードを要求することにより得られる印刷情報の場合に、当該印刷情報が番組放送前に前記提供元からダウンロード可能であるかを判定する判定手段と、
前記判定手段の判定結果に応じて、前記提供元からダウンロード可能であるか否かを識別可能に表示装置に表示させる表示制御手段と、を具備することを特徴とする受信装置。
【請求項２】
前記表示制御手段は、前記番組を録画予約する場合に、当該番組の印刷情報がダウンロード可能か否かを表示することを特徴とする請求項１に記載の受信装置。
【請求項３】
前記番組を録画予約する場合に、当該番組の印刷情報がダウンロード不能なときには当該印刷情報のダウンロード予約を可能にする予約手段を更に備えることを特徴とする請求項２に記載の受信装置。
【請求項４】
デジタル放送番組を視聴可能なデジタル放送用受信装置における情報コンテンツの印刷方法であって、
前記デジタル放送番組の印刷情報を用いて印刷装置に印刷を実行させる印刷制御工程と、
前記印刷情報が、提供元へダウンロードを要求することにより得られる印刷情報の場合に、当該印刷情報が番組放送前に前記提供元からダウンロード可能であるかを判定する判定工程と、
前記判定工程での判定結果に応じて、前記提供元からダウンロード可能であるか否かを識別可能に表示装置に表示させる表示制御工程と、を備えることを特徴とする印刷方法。
【請求項５】
前記表示制御工程では、前記番組を録画予約する場合に、当該番組の印刷情報がダウンロード可能か否かを表示することを特徴とする請求項４に記載の印刷方法。
【請求項６】
前記番組を録画予約する場合に、当該番組の印刷情報がダウンロード不能なときには当該印刷情報のダウンロード予約を可能にする予約工程を更に備えることを特徴とする請求項５に記載の印刷方法。
【請求項７】
デジタル放送番組を視聴可能なデジタル放送用受信装置であって、
前記デジタル放送番組の印刷情報を用いて印刷装置に印刷を実行させる印刷制御手段と、
印刷すべき印刷情報を指定する指定手段と、
前記印刷情報が、前記デジタル放送番組と共に提供される第１の印刷情報か、提供元へダウンロードを要求することにより得られる第２の印刷情報かを判別する判別手段と、
前記第１の印刷情報を有する番組であることを示す情報と、前記第２の印刷情報を有する番組であることを示す情報とを識別可能とするデジタル放送番組の一覧を生成する生成手段と、を有することを特徴とする受信装置。
【請求項８】
前記第１の印刷情報は、ＰＵＳＨ転送方式の印刷コンテンツであり、前記第２の印刷情報は、ＰＵＬＬ転送方式の印刷コンテンツであることを特徴とする請求項７に記載の受信装置。
【請求項９】
デジタル放送番組を視聴可能なデジタル放送用受信装置であって、
前記デジタル放送番組の印刷情報を用いて印刷装置に印刷を実行させる印刷制御手段と、
印刷すべき印刷情報を指定する指定手段と、
前記印刷情報が、前記デジタル放送番組と共に提供される第１の印刷情報か、提供元へダウンロードを要求することにより得られる第２の印刷情報かを判別する判別手段と、
前記印刷情報が前記第２の印刷情報の場合、当該第２の印刷情報が番組放送前に前記提供元からダウンロード可能であるかを判定する判定手段と、
デジタル放送番組のタイトル情報ともに、第１の印刷情報または第２の印刷情報を有する番組であることを、それぞれ異なる識別情報を用いて表示装置に表示させる表示制御手段と、を具備することを特徴とする受信装置。
【請求項１０】
前記表示制御手段は、前記番組を録画予約する場合に、当該番組の印刷情報がダウンロード可能か否かを表示することを特徴とする請求項９に記載の受信装置。
【請求項１１】
前記番組を録画予約する場合に、当該番組の印刷情報がダウンロード不能なときには当該印刷情報のダウンロード予約を可能にする予約手段を更に備えることを特徴とする請求項１０に記載の受信装置。
【請求項１２】
前記印刷情報が前記第２の印刷情報であって前記提供元に前記第２の印刷情報がダウンロード可能な状態で存在する場合、前記第２の印刷情報を表示する表示手段と、
前記表示手段により表示された前記第２の印刷情報に対して前記印刷制御手段による印刷実行の可否を判定する可否判定手段と、を更に備えることを特徴とする請求項９に記載の受信装置。
【請求項１３】
前記受信装置にはネットワークを介して前記印刷装置が接続されており、
前記印刷装置は、前記受信装置から印刷情報の印刷要求を受けて、前記提供元から前記第２の印刷情報をダウンロードして印刷を実行することを特徴とする請求項９乃至１２のいずれか１項に記載の受信装置。
【請求項１４】
前記第２の印刷情報は、受信装置において、印刷コンテンツのネットワーク上の格納場所を認識するための情報に基づきダウンロードされることを特徴とする請求項９に記載の受信装置。
【請求項１５】
前記第１の印刷情報は、ＰＵＳＨ転送方式の印刷コンテンツであり、前記第２の印刷情報は、ＰＵＬＬ転送方式の印刷コンテンツであることを特徴とする請求項９に記載の受信装置。
【請求項１６】
更に、デジタル放送番組の一覧を生成する生成手段を有し、前記生成手段は、前記第１の印刷情報を有する番組であることを示す情報と、前記第２の印刷情報を有する番組であることを示す情報と識別可能とする一覧表を生成することを特徴とする請求項９に記載の受信装置。
【請求項１７】
デジタル放送番組の情報コンテンツの取得方法であって、
番組情報を取得して、各番組に対応したＰＵＬＬ転送方式の情報コンテンツデータを番組放送前にネットワーク上のサーバからダウンロード可能であるかを判定する工程と、
前記情報コンテンツデータがダウンロード可能である場合は、前記番組情報と共に、前記情報コンテンツデータがダウンロード可能であること判別できるように表示手段に表示させる工程と、
指示に基づいて前記情報コンテンツデータを前記サーバからダウンロードして取得する工程と、を備えることを特徴とするデジタル放送番組の情報コンテンツの取得方法。
【請求項１８】
請求項４、５，６又は１７に記載の方法をコンピュータに実行させるためのプログラム。
【請求項１９】
請求項１８に記載のプログラムを記憶したコンピュータ可読記憶媒体。
【手続補正２】
【補正対象書類名】明細書
【補正対象項目名】発明の名称
【補正方法】変更
【補正の内容】
【発明の名称】デジタル放送用受信装置及び当該装置における情報コンテンツの印刷方法、情報コンテンツの取得方法
【手続補正３】
【補正対象書類名】明細書
【補正対象項目名】００１５
【補正方法】変更
【補正の内容】
【００１５】
また、上記特許文献４では、印刷予約した印刷コンテンツを一時的に蓄積する機能を持ち合わせているので、蓄積された印刷コンテンツの内容をユーザが確認してからプリンタに送信することも可能である。しかし、印刷コンテンツのデータサイズについては特に制限されていないので、データを蓄積するためには受信装置に大容量のストレージデバイス（例えば、ＨＤＤ）を用意する必要がありコスト面や実装面で問題となる。
【手続補正４】
【補正対象書類名】明細書
【補正対象項目名】００１６
【補正方法】変更
【補正の内容】
【００１６】
上記課題を解決するために、本発明は、デジタル放送番組を視聴可能なデジタル放送用受信装置であって、前記デジタル放送番組の印刷情報を用いて印刷装置に印刷を実行させる印刷制御手段と、前記印刷情報が、提供元へダウンロードを要求することにより得られる印刷情報の場合に、当該印刷情報が番組放送前に前記提供元からダウンロード可能であるかを判定する判定手段と、前記判定手段の判定結果に応じて、前記提供元からダウンロード可能であるか否かを識別可能に表示装置に表示させる表示制御手段と、を具備する。
また、本発明は、デジタル放送番組を視聴可能なデジタル放送用受信装置であって、
前記デジタル放送番組の印刷情報を用いて印刷装置に印刷を実行させる印刷制御手段と、印刷すべき印刷情報を指定する指定手段と、前記印刷情報が、前記デジタル放送番組と共に提供される第１の印刷情報か、提供元へダウンロードを要求することにより得られる第２の印刷情報かを判別する判別手段と、前記第１の印刷情報を有する番組であることを示す情報と、前記第２の印刷情報を有する番組であることを示す情報とを識別可能とするデジタル放送番組の一覧を生成する生成手段と、を有する。
また、本発明は、デジタル放送番組を視聴可能なデジタル放送用受信装置であって、前記デジタル放送番組の印刷情報を用いて印刷装置に印刷を実行させる印刷制御手段と、印刷すべき印刷情報を指定する指定手段と、前記印刷情報が、前記デジタル放送番組と共に提供される第１の印刷情報か、提供元へダウンロードを要求することにより得られる第２の印刷情報かを判別する判別手段と、前記印刷情報が前記第２の印刷情報の場合、当該第２の印刷情報が番組放送前に前記提供元からダウンロード可能であるかを判定する判定手段と、デジタル放送番組のタイトル情報ともに、第１の印刷情報または第２の印刷情報を有する番組であることを、それぞれ異なる識別情報を用いて表示装置に表示させる表示制御手段と、を具備する。
【手続補正５】
【補正対象書類名】明細書
【補正対象項目名】００１７
【補正方法】変更
【補正の内容】
【００１７】
また、本発明は、デジタル放送番組を視聴可能なデジタル放送用受信装置における情報コンテンツの印刷方法であって、前記デジタル放送番組の印刷情報を用いて印刷装置に印刷を実行させる印刷制御工程と、前記印刷情報が、提供元へダウンロードを要求することにより得られる印刷情報の場合に、当該印刷情報が番組放送前に前記提供元からダウンロード可能であるかを判定する判定工程と、前記判定工程での判定結果に応じて、前記提供元からダウンロード可能であるか否かを識別可能に表示装置に表示させる表示制御工程と、を備える。
また、本発明は、デジタル放送番組の情報コンテンツの取得方法であって、番組情報を取得して、各番組に対応したＰＵＬＬ転送方式の情報コンテンツデータを番組放送前にネットワーク上のサーバからダウンロード可能であるかを判定する工程と、前記情報コンテンツデータがダウンロード可能である場合は、前記番組情報と共に、前記情報コンテンツデータがダウンロード可能であること判別できるように表示手段に表示させる工程と、指示に基づいて前記情報コンテンツデータを前記サーバからダウンロードして取得する工程と、を備える。
【手続補正６】
【補正対象書類名】明細書
【補正対象項目名】００２０
【補正方法】変更
【補正の内容】
【００２０】
本発明によれば、ユーザが印刷予約を行う段階で印刷可否を判定できるシステムを構築できる。また、デジタル放送番組の情報コンテンツを放送視聴前に取得して事前に確認することが可能となる。